(57)【要約】【課題】この発明は、録画番組のうち、普段、人目に触れる機会が少ない録画番組が提示される機会を増加させることができるテレビ放送受信機を提供することを目的とする。【解決手段】番組選択に用いられる番組表を表示させる機能と、録画機能を備えたテレビ放送受信機において、放送中の放送番組の情報および放送予定の放送番組の情報と、それらの各放送番組に類似する録画番組の情報とを、同一の番組表に表示させる手段を備えている。【選択図】図１
2008199372.tif 000002
【特許請求の範囲】
【請求項１】
番組選択に用いられる番組表を表示させる機能と、録画機能を備えたテレビ放送受信機において、放送中の放送番組の情報と、それらの各放送番組に類似する録画番組の情報とを、同一の番組表に表示させる手段を備えていることを特徴とするテレビ放送受信機。
【請求項２】
番組選択に用いられる番組表を表示させる機能と、録画機能を備えたテレビ放送受信機において、放送中の放送番組の情報および放送予定の放送番組の情報と、それらの各放送番組に類似する録画番組の情報とを、同一の番組表に表示させる手段を備えていることを特徴とするテレビ放送受信機。
【請求項３】
番組表から録画番組が選択された場合には、当該録画番組の類似元の放送番組の放送開始時刻Ｓおよび放送終了時刻Ｅ、当該録画番組の番組時間長Ｌおよび現在時刻ｔに基づいて、当該録画番組の再生開始位置を設定する再生開始位置設定手段、ならびに
再生開始位置設定手段によって設定した再生開始位置から当該録画番組の再生を開始させる再生手段を備えており、
再生開始位置設定手段は、ｔ≦Ｓまたはｔ≧Ｅである場合には、当該録画番組の先頭に再生開始位置を設定し、ｔ＞Ｓでかつｔ＜Ｅである場合には、当該録画番組の途中の位置に再生開始位置を設定するものであることを特徴とする請求項１または請求項２のいずれかに記載のテレビ放送受信機。
【請求項４】
番組表から録画番組が選択された場合には、当該録画番組の類似元の放送番組の放送開始時刻Ｓおよび放送終了時刻Ｅ、当該録画番組の番組時間長Ｌおよび現在時刻ｔに基づいて、当該録画番組の再生開始位置を設定する再生開始位置設定手段、ならびに
再生開始位置設定手段によって設定した再生開始位置から当該録画番組の再生を開始させる再生手段を備えており、
再生開始位置設定手段は、ｔ≦Ｓまたはｔ≧Ｅである場合には、当該録画番組の先頭に再生開始位置を設定し、ｔ＞Ｓでかつｔ＜Ｅで、かつＬ＞（ｔ−Ｓ）であれば、当該録画番組の先頭から（ｔ−Ｓ）だけ進んだ位置に再生開始位置を設定し、ｔ＞Ｓでかつｔ＜Ｅで、かつＬ≦（ｔ−Ｓ）である場合には、当該録画番組の先頭からＬ＊（ｔ−Ｓ）／（Ｅ−Ｓ）だけ進んだ位置に再生開始位置を設定するものであることを特徴とする請求項１または請求項２のいずれかに記載のテレビ放送受信機。
【請求項５】
放送番組に与えられているチャンネルをメインチャンネルとして、各メインチャンネル毎に、メインチャンネルで放送される放送番組に類似する録画番組を選択するためのサブチャンネルが設けられており、
視聴したい番組としてサブチャンネルが選択された場合には、録画番組を特定するとともに再生開始位置を設定し、設定した再生開始位置から特定した録画番組を再生する録画番組再生手段を備えており、
録画番組再生手段は、現在時刻ｔを取得するとともに、選択されたサブチャンネルに対応するメインチャンネルにおいて、現在放送されている放送番組を特定し、特定した放送番組の放送開始時刻Ｓおよび放送終了時刻Ｅを取得する手段、上記特定した放送番組に類似する録画番組を特定し、特定した録画番組の番組長Ｌを取得する手段、取得した現在時刻ｔ、上記放送番組の放送開始時刻Ｓおよび放送終了時刻Ｅならびに上記録画番組の番組長Ｌに基づいて、上記録画番組の再生開始位置を設定する再生開始位置設定手段、ならびに再生開始位置設定手段によって設定した再生開始位置から当該録画番組の再生を開始させる再生手段を備えており、
再生開始位置設定手段は、Ｌ＞（ｔ−Ｓ）であれば、当該録画番組の先頭から（ｔ−Ｓ）だけ進んだ位置に再生開始位置を設定し、Ｌ≦（ｔ−Ｓ）である場合には、当該録画番組の先頭からＬ＊（ｔ−Ｓ）／（Ｅ−Ｓ）だけ進んだ位置に再生開始位置を設定するものであることを特徴とする請求項１または請求項２のいずれかに記載のテレビ放送受信機。    
【請求項６】
番組選択に用いられる番組表を表示させる機能と、番組蓄積サーバに蓄積されている蓄積番組を取得して再生する機能を備えたテレビ放送受信機において、放送中の放送番組の情報と、それらの各放送番組に類似する蓄積番組の情報とを、同一の番組表に表示させる手段を備えていることを特徴とするテレビ放送受信機。
【発明の詳細な説明】
【技術分野】
【０００１】
この発明は、テレビ放送受信機に関する。
【背景技術】
【０００２】
テレビ放送受信機として、放送中の番組の番組情報と録画された番組の番組情報とを、同一の番組表に一覧表示することにより、放送中の番組および録画された番組の中からユーザが視聴したい番組を選択させるようにしたものが既に開発されている（特開２０００−１７５１４０号公報参照）。この従来技術によれば、放送中の番組および録画された番組のいずれを視聴する場合でも、同一の番組表から同一の操作によって視聴したい番組を選択することが可能となる。また、上記公開公報には、上記番組表が最初に表示された時刻を起点の０秒とし、起点からの実時間の経過に対応して、録画番組の再生箇所を変える技術が開示されている。
【特許文献１】特開２０００−１７５１４０号公報
【発明の開示】
【発明が解決しようとする課題】
【０００３】
番組を記録する記憶媒体の容量が増加し、大量の番組を録画することが可能となってきている。また、サーバに大量の番組を蓄積しておき、ユーザの要求により、サーバに蓄積されている番組のうちから所定のものを選択して再生できるサービス（例えば、ＶｏＤ等）が普及しつつある。これに伴って、ユーザが視聴できる番組の数が急激に増加している。
【０００４】
このような状況下においては、人気のある録画番組（蓄積番組）は頻繁に視聴されるが、人気のない録画番組（蓄積番組）や放送が行なわれた時期が古い録画番組（蓄積番組）は人目に触れる機会が少なくなり、その番組情報が大量の番組情報の中に埋もれてしまうといった現象が生じる。
【０００５】
そこで、放送中の番組に関連がある録画番組（蓄積番組）をユーザに提示することを提案する。放送中の番組に関連がある番組を提示することにより、普段、人目に触れる機会が少ない番組が提示される機会が増加する。つまり、ユーザが気づいていなかった好みの番組の存在を、ユーザに気づかせる効果が生じる。
【０００６】
この発明は、録画番組のうち、普段、人目に触れる機会が少ない録画番組が提示される機会を増加させることができるテレビ放送受信機を提供することを目的とする。
【０００７】
また、この発明は、放送番組に類似する録画番組を、放送番組を視聴する場合と同様な操作で選択して視聴でき、かつ録画番組を選択して視聴する際には、放送番組を選択して視聴する場合のように、類似元の放送番組の放送開始時刻と現在時刻との関係等に基づいて録画番組の再生開始位置を制御することができるテレビ放送受信機を提供することを目的とする。
【０００８】
この発明は、サーバに蓄積されている蓄積番組のうち、普段、人目に触れる機会が少ない蓄積番組が提示される機会を増加させることができるテレビ放送受信機を提供することを目的とする。
【課題を解決するための手段】
【０００９】
請求項１に記載の発明は、番組選択に用いられる番組表を表示させる機能と、録画機能を備えたテレビ放送受信機において、放送中の放送番組の情報と、それらの各放送番組に類似する録画番組の情報とを、同一の番組表に表示させる手段を備えていることを特徴とするテレビ放送受信機。
【００１０】
請求項２に記載の発明は、番組選択に用いられる番組表を表示させる機能と、録画機能を備えたテレビ放送受信機において、放送中の放送番組の情報および放送予定の放送番組の情報と、それらの各放送番組に類似する録画番組の情報とを、同一の番組表に表示させる手段を備えていることを特徴とするテレビ放送受信機。
【００１１】
請求項３に記載の発明は、請求項１または請求項２に記載のテレビ放送受信機において、番組表から録画番組が選択された場合には、当該録画番組の類似元の放送番組の放送開始時刻Ｓおよび放送終了時刻Ｅ、当該録画番組の番組時間長Ｌおよび現在時刻ｔに基づいて、当該録画番組の再生開始位置を設定する再生開始位置設定手段、ならびに再生開始位置設定手段によって設定した再生開始位置から当該録画番組の再生を開始させる再生手段を備えており、再生開始位置設定手段は、ｔ≦Ｓまたはｔ≧Ｅである場合には、当該録画番組の先頭に再生開始位置を設定し、ｔ＞Ｓでかつｔ＜Ｅである場合には、当該録画番組の途中の位置に再生開始位置を設定するものであることを特徴とする。
【００１２】
請求項４に記載の発明は、請求項１または請求項２に記載のテレビ放送受信機において、番組表から録画番組が選択された場合には、当該録画番組の類似元の放送番組の放送開始時刻Ｓおよび放送終了時刻Ｅ、当該録画番組の番組時間長Ｌおよび現在時刻ｔに基づいて、当該録画番組の再生開始位置を設定する再生開始位置設定手段、ならびに再生開始位置設定手段によって設定した再生開始位置から当該録画番組の再生を開始させる再生手段を備えており、再生開始位置設定手段は、ｔ≦Ｓまたはｔ≧Ｅである場合には、当該録画番組の先頭に再生開始位置を設定し、ｔ＞Ｓでかつｔ＜Ｅで、かつＬ＞（ｔ−Ｓ）であれば、当該録画番組の先頭から（ｔ−Ｓ）だけ進んだ位置に再生開始位置を設定し、ｔ＞Ｓでかつｔ＜Ｅで、かつＬ≦（ｔ−Ｓ）である場合には、当該録画番組の先頭からＬ＊（ｔ−Ｓ）／（Ｅ−Ｓ）だけ進んだ位置に再生開始位置を設定するものであることを特徴とする。
【００１３】
請求項５に記載の発明は、請求項１または請求項２に記載のテレビ放送受信機において、放送番組に与えられているチャンネルをメインチャンネルとして、各メインチャンネル毎に、メインチャンネルで放送される放送番組に類似する録画番組を選択するためのサブチャンネルが設けられており、視聴したい番組としてサブチャンネルが選択された場合には、録画番組を特定するとともに再生開始位置を設定し、設定した再生開始位置から特定した録画番組を再生する録画番組再生手段を備えており、録画番組再生手段は、現在時刻ｔを取得するとともに、選択されたサブチャンネルに対応するメインチャンネルにおいて、現在放送されている放送番組を特定し、特定した放送番組の放送開始時刻Ｓおよび放送終了時刻Ｅを取得する手段、上記特定した放送番組に類似する録画番組を特定し、特定した録画番組の番組長Ｌを取得する手段、取得した現在時刻ｔ、上記放送番組の放送開始時刻Ｓおよび放送終了時刻Ｅならびに上記録画番組の番組長Ｌに基づいて、上記録画番組の再生開始位置を設定する再生開始位置設定手段、ならびに再生開始位置設定手段によって設定した再生開始位置から当該録画番組の再生を開始させる再生手段を備えており、再生開始位置設定手段は、Ｌ＞（ｔ−Ｓ）であれば、当該録画番組の先頭から（ｔ−Ｓ）だけ進んだ位置に再生開始位置を設定し、Ｌ≦（ｔ−Ｓ）である場合には、当該録画番組の先頭からＬ＊（ｔ−Ｓ）／（Ｅ−Ｓ）だけ進んだ位置に再生開始位置を設定するものであることを特徴とする。
【００１４】
請求項６に記載の発明は、番組選択に用いられる番組表を表示させる機能と、番組蓄積サーバに蓄積されている蓄積番組を取得して再生する機能を備えたテレビ放送受信機において、放送中の放送番組の情報と、それらの各放送番組に類似する蓄積番組の情報とを、同一の番組表に表示させる手段を備えていることを特徴とするテレビ放送受信機。
【発明の効果】
【００１５】
請求項１、２に記載の発明によれば、録画番組のうち、普段、人目に触れる機会が少ない録画番組が提示される機会を増加させることができるようになる。
【００１６】
請求項３、４、５に記載の発明によれば、放送番組に類似する録画番組を、放送番組を視聴する場合と同様な操作で選択して視聴でき、かつ録画番組を選択して視聴する際には、放送番組を選択して視聴する場合のように、類似元の放送番組の放送開始時刻と現在時刻との関係等に基づいて録画番組の再生開始位置を制御することができるようになる。
【００１７】
請求項６に記載の発明によれば、サーバに蓄積されている蓄積番組のうち、普段、人目に触れる機会が少ない蓄積番組が提示される機会を増加させることができるようになる。
【発明を実施するための最良の形態】
【００１８】
以下、図面を参照して、この発明の実施例について説明する。
【実施例１】
【００１９】
図１は、録画機能を備えたテレビ放送受信機の概略構成を示している。
【００２０】
放送波受信部１で受信された放送波は受信波デコード部２によってデコードされる。受信波デコード部２によって得られるＥＰＧ情報は、ＥＰＧ蓄積部３に蓄積される。放送中の番組が視聴される場合には、受信波デコード部２によって得られた映像信号は、表示部４に表示される。また、放送中の番組が録画されるときには、受信波デコード部２によって得られた映像信号は、録画制御部５によって録画される。録画された番組のコンテンツおよび録画番組の番組情報（ＥＰＧ蓄積部３から取得される）は、録画番組情報・録画番組蓄積部６に蓄積される。
【００２１】
このテレビ放送受信機は、表示情報加工部７によって加工された番組表を表示部４に表示する機能を備えている。
【００２２】
表示情報加工部７は、現在放送中の番組および放送予定の番組と、それらの番組と類似する録画番組とを明示するための番組表を作成し、ユーザ操作に基づいて番組表を表示部４に表示させる。
【００２３】
図２は、番組表の一部を示している。
【００２４】
この番組表では、縦軸に時刻が取られ、横軸にチャンネルが取られている。但し、チャンネルとしては、既存の各チャンネルの他に、各既存のチャンネルの隣に新たなサブチャンネルが加えられている。既存の各チャンネルは、ｎを数字として、”ｎｃｈ”で表され、各サブチャンネルは、”Ｖ−ｎｃｈ”で表されている。”ｎｃｈ”の欄には、そのチャンネルで放送される放送番組の番組名等の情報が、時刻に対応した位置に表示されている。
【００２５】
”Ｖ−ｎｃｈ”の欄には、その左隣の”ｎｃｈ”の欄に表示された放送番組に類似する録画番組の番組名等の情報が表示される。例えば、”４ｃｈ”の欄には、７時から８時までの放送番組Ａと、８時から９時までの放送番組Ｂと、９時から１０時までの放送番組Ｃの情報が表示されている。”Ｖ−ｎｃｈ”の欄には、放送番組Ａに類似する録画番組ａと、放送番組Ｂに類似する録画番組ｂと、放送番組Ｃに類似する録画番組ｃの情報が表示されている。
【００２６】
各録画番組ａ、ｂ、ｃの番組時間長は、それに対応する放送番組Ａ、Ｂ、Ｃの番組時間長と一致するとは限らない。そこで、各録画番組ａ、ｂ、ｃの番組時間長を認識できるように、各録画番組ａ、ｂ、ｃの情報欄の形状および長さを工夫している。この例では、録画番組ａの番組時間長はそれに対応する放送番組Ａの番組時間長（７時から８時までの１時間）より長いので、録画番組ａの情報欄は、７時から８時までのマスに、そのマスの下側の右半分より下方に突出した矩形部分を加えた形状を囲むように形成されている。また、録画番組ｂの番組時間長はそれに対応する放送番組Ｂの番組時間長（８時から９時までの１時間）より長いので、録画番組ｂの情報欄は、８時から９時までのマス（録画番組ａによりその右上側が切除されている）に、その部分の下側の右半分より下方に突出した矩形部分を加えた形状を囲むように形成されている。
【００２７】
ある放送番組に類似する録画番組は、次のようにして抽出される。録画番組毎に、放送番組の番組情報（ＥＰＧ情報）と録画番組の番組情報（ＥＰＧ情報）とを比較し、「番組ジャンル」、「番組タイトルに含まれる単語」、「当該番組の各出演者名」、「番組内容（番組概要文章に含まれる単語）」の一致度を算出する。そして、一致度が最も高いもの（一致する要素の数が最も多いもの）を、当該放送番組に類似する録画番組とする。
【００２８】
ユーザは、視聴したい番組を選択したい場合には、所定の操作によって、図２に示す番組を表示部４に表示させる。そして、図示しないリモコン上のカーソルキーにより、視聴したい番組を選択した後、リモコン上の決定キーを押すと、選択した番組が視聴できる。ユーザが選択した番組が現在放送中の番組である場合には、テレビ放送受信機はその番組を選局して放映する。ユーザが選択した番組が録画番組である場合には、テレビ放送受信機はその録画番組を再生する。
【００２９】
図３は、番組表の変形例を示している。
【００３０】
この番組表では、縦軸に時刻が取られ、横軸にチャンネルが取られている。チャンネルとしては、既存の各チャンネルのみが表示されている。この番組表に表示されている放送番組と類似する録画番組は、ユーザによる操作に基づいて表示される。具体的には、番組表に表示されているある放送番組（例えば、放送番組Ａ）の情報欄をユーザがカーソルキーによって選択した後、予め設けられた特定のキー（情報欄反転キー）を押すと、図３に示すように、その放送番組の情報欄が反転し、その放送番組に類似する録画番組（この例では録画番組ａ）の情報が表示される。また、この録画番組ａの情報欄をユーザがカーソルキーによって選択した後、情報欄反転キーを押すと、その録画番組に対応する放送番組Ａの情報が表示される。
【００３１】
この番組表においても、カーソルキーにより視聴したい番組を選択した後、リモコン上の決定キーを押すと、選択した番組が視聴できる。                                        
【００３２】
図４および図５は、それぞれ番組表の変形例を示している。
【００３３】
これらの番組表では、縦軸に時刻が取られ、横軸にチャンネルが取られている。チャンネルとしては、既存の各チャンネルのみが表示されている。これらの番組表では、ある放送番組の情報欄の一部にその放送番組に類似する録画番組が表示されている。
【００３４】
図４の番組表では、ある放送番組の情報欄が上下に２分され、上側の部分に放送番組（例えば、放送番組Ａ）の情報が、下側の部分に放送番組に類似する録画番組（この例では録画番組ａ）の情報が表示される。
【００３５】
図５の番組表では、ある放送番組の情報欄が左右に２分され、左側の部分に放送番組（例えば、放送番組Ａ）の情報が、右側の部分に放送番組に類似する録画番組（この例では録画番組ａ）の情報が表示される。
【００３６】
これらの番組表においても、カーソルキーにより視聴したい番組を選択した後、リモコン上の決定キーを押すと、選択した番組が視聴できる。                                    
【００３７】
なお、図６に示すように、ある放送番組Ａが放映されているときに、リモコン上の特定のキー（表示番組切り替えキー）を押すと、その放送番組に類似する録画番組ａを再生して表示するようにしてもよい。
【００３８】
また、図７に示すように、ある放送番組Ａが放映されているときに、リモコン上の特定のキー（類似録画番組表示キー）を押すと、その放送番組に類似する録画番組ａを再生して小画面表示するようにしてもよい。
【００３９】
また、図８に示すように、ある放送番組Ａが放映されているときに、リモコン上の特定のキー（類似録画番組情報提示キー）を押すと、その放送番組に類似する録画番組ａの情報をテロップとして表示するようにしてもよい。
【００４０】
図２〜図５に示す番組表から録画番組が選択されることにより、選択された録画番組を再生する場合には、現在時刻等にかかわらず、その録画番組の先頭から再生するようにしてもよいし、現在時刻等に応じて再生開始位置を制御するようにしてもよい。
【００４１】
例えば、図９に示すように、選択された録画番組の類似元の放送番組の放送開始時刻をＳ、放送終了時刻をＥとする。また、選択された録画番組の番組時間長をＬとする。また、録画番組が選択された時刻をｔとする。
【００４２】
図９（ａ）に示すように、現在時刻ｔが類似元の放送番組の放送時間帯内ではない場合（ｔ≦Ｓまたはｔ≧Ｅ）には、再生開始位置を録画番組の先頭に設定して、録画番組の再生を開始する。
【００４３】
図９（ｂ）に示すように、現在時刻ｔが類似元の放送番組の放送時間帯内（ｔ＞Ｓかつｔ＜Ｅ）であり、かつ類似元の放送番組の放送開始時刻Ｓから現在時刻ｔまでの経過時間（ｔ−Ｓ）が、録画番組の番組時間長Ｌより短い場合（Ｌ＞（ｔ−Ｓ））には、録画番組の先頭から（ｔ−Ｓ）だけ進んだ位置に再生開始位置を設定して、録画番組の再生を開始する。
【００４４】
図９（ｃ）に示すように、現在時刻ｔが類似元の放送番組の放送時間帯内であり、かつ類似元の放送番組の放送開始時刻Ｓから現在時刻ｔまでの経過時間（ｔ−Ｓ）が、録画番組の番組時間長Ｌ以上である場合（Ｌ≦（ｔ−Ｓ））には、録画番組の先頭からＬ＊（ｔ−Ｓ）／（Ｅ−Ｓ）だけ進んだ位置に再生開始位置を設定して、録画番組の再生を開始する。
【００４５】
図１０は、現在時刻等に応じて再生開始位置を制御する場合の処理手順を示している。      
【００４６】
ユーザが番組表から視聴したい番組を選択すると（ステップＳ１）、選択された番組が現在放送されている放送番組であるか、録画番組であるかを判別する（ステップＳ２）。選択された番組が現在放送されている放送番組である場合には、その番組を選局して放映する（ステップＳ３）。
【００４７】
上記ステップＳ２において、選択された番組が録画番組であると判別した場合には、現在時刻ｔを取得する（ステップＳ４）。また、選択された録画番組の類似元の放送番組の放送開始時刻Ｓと放送終了時刻Ｅを取得する（ステップＳ５）。そして、ｔ＞Ｓでかつｔ＜Ｅという条件を満たしているか否かを判別する（ステップＳ６）。ｔ＞Ｓでかつｔ＜Ｅという条件を満たしていない場合、つまり、ｔ≦Ｓであるかｔ≧Ｅである場合には、再生開始位置を録画番組の先頭に設定して（ステップＳ７）、録画番組の再生を開始する（ステップＳ１２）。                                                                      
【００４８】
上記ステップＳ６において、ｔ＞Ｓでかつｔ＜Ｅという条件を満たしていると判別した場合には、選択された録画番組の番組時間長Ｌを取得する（ステップＳ８）。そして、Ｌ＞（ｔ−Ｓ）という条件を満たしているか否かを判別する（ステップＳ９）。
【００４９】
Ｌ＞（ｔ−Ｓ）という条件を満たしている場合には、録画番組の先頭から（ｔ−Ｓ）だけ進んだ位置に再生開始位置を設定して（ステップＳ１０）、録画番組の再生を開始する（ステップＳ１２）。上記ステップＳ９において、Ｌ＞（ｔ−Ｓ）という条件を満たしていないと判別した場合、つまり、Ｌ≦（ｔ−Ｓ）である場合には、録画番組の先頭からＬ＊（ｔ−Ｓ）／（Ｅ−Ｓ）だけ進んだ位置に再生開始位置を設定して（ステップＳ１１）、録画番組の再生を開始する（ステップＳ１２）。
【００５０】
このような制御を行なうと、番組表から録画番組が選択された場合に、類似元の放送番組の放送開始時刻から現在時刻までの時間経過に応じて、録画番組の再生開始位置が制御されるので、放送番組を選択した場合と同様な感覚で録画番組を視聴することができる。      
【００５１】
なお、従来例では、番組表が最初に表示された時刻を起点の０秒とし、起点からの実時間の経過に対応して録画番組の再生箇所を変えているが、放送開始時刻から現在時刻までの実時間経過に応じて放映箇所が変化する放送番組とは起点が異なるため、放送番組を選択した場合と同様な感覚で録画番組を視聴することができない。
【００５２】
ところで、図２の番組表のように、放送番組に類似する録画番組に対してサブチャンネルが与えられている場合には、ユーザが視聴したいチャンネルを選択することにより、そのチャンネルおよび現在時刻に対応した番組（放送番組または録画番組）を視聴することができる。
【００５３】
図１１は、放送番組に類似する録画番組に対してサブチャンネルが与えられている場合において、ユーザが視聴したいチャンネルを選択したときに実行される処理手順示している。
【００５４】
ユーザが視聴したいチャンネルを選択すると（ステップＳ２１）、選択されたチャンネルが放送番組に対して与えられているメインチャンネル（放送ｃｈ）であるか、録画番組に対して与えられているサブチャンネル（録画ｃｈ）であるかを判別する（ステップＳ２２）。選択されたチャンネルが放送ｃｈである場合には、そのチャンネルで現在放送されている放送番組を選局して放映する（ステップＳ２３）。
【００５５】
上記ステップＳ２２において、選択されたチャンネルが録画ｃｈであると判別した場合には、現在時刻ｔを取得する（ステップＳ２４）。また、選択されたサブチャンネルに対応するメインチャンネルにおいて現在時刻ｔにおいて放送されている放送番組を特定し、特定した放送番組の放送開始時刻Ｓと放送終了時刻Ｅを取得する（ステップＳ２５）。例えばユーザによって選択されたチャンネルがサブチャンネルの”Ｖ−４ｃｈ”であれば、それに対応するメインチャンネル”４ｃｈ”において現在時刻ｔにおいて放送されている放送番組の放送開始時刻Ｓと放送終了時刻Ｅを取得する。
【００５６】
また、上記ステップＳ２５で特定した放送番組に類似する録画番組を特定し、特定した録画番組の番組時間長Ｌを取得する（ステップＳ２６）。そして、Ｌ＞（ｔ−Ｓ）という条件を満たしているか否かを判別する（ステップＳ２７）。
【００５７】
Ｌ＞（ｔ−Ｓ）という条件を満たしている場合には、上記ステップＳ２６で特定した録画番組の先頭から（ｔ−Ｓ）だけ進んだ位置に再生開始位置を設定して（ステップＳ２８）、当該録画番組の再生を開始する（ステップＳ３０）。上記ステップＳ２７において、Ｌ＞（ｔ−Ｓ）という条件を満たしていないと判別した場合、つまり、Ｌ≦（ｔ−Ｓ）である場合には、上記ステップＳ２６で特定した録画番組の先頭からＬ＊（ｔ−Ｓ）／（Ｅ−Ｓ）だけ進んだ位置に再生開始位置を設定して（ステップＳ２９）、当該録画番組の再生を開始する（ステップＳ３０）。
【００５８】
このような制御を行なうと、録画番組に対して与えられているサブチャンネル（録画ｃｈ）が選択された場合に、選択されたサブチャンネルに対応するメインチャンネルにおいて現在時刻ｔにおいて放送されている放送番組の放送開始時刻から現在時刻までの時間経過に応じて、当該放送番組に類似する録画番組の再生開始位置が制御されるので、放送番組に与えられているチャンネルを選択した場合と同様な感覚で録画番組を視聴することができる。
【実施例２】
【００５９】
図１２は、番組蓄積サーバから番組を取得して再生する機能を備えたテレビ放送受信機の概略構成を示している。
【００６０】
放送波受信部１で受信された放送波は受信波デコード部２によってデコードされる。受信波デコード部２によって得られるＥＰＧ情報は、ＥＰＧ蓄積部３に蓄積される。放送中の番組が視聴される場合には、受信波デコード部２によって得られた映像信号は、表示部４に表示される。
【００６１】
蓄積番組情報取得部１１は、番組蓄積サーバに蓄積されている全ての番組（蓄積番組）の番組情報を取得する。蓄積番組情報取得部１１によって取得された全蓄積番組の番組情報は、蓄積番組情報蓄積部１２に蓄積される。
【００６２】
表示情報加工部１０は、現在放送中の番組および放送予定の番組と、それらの番組と類似する蓄積番組とを明示するための番組表を作成し、ユーザ操作に基づいて番組表を表示部４に表示させる。
【００６３】
蓄積番組再生部１３は、番組蓄積サーバに蓄積されている蓄積番組の中から、ユーザによって指定された蓄積番組を取得して再生する。蓄積番組再生部１３によって得られた映像信号は、表示部４に表示される。
【００６４】
放送番組と類似する蓄積番組を抽出する方法は、実施例１で放送番組と類似する録画番組を抽出する方法と同様である。また、実施例１の”録画番組”を”蓄積番組”に置き換えることにより、表示情報加工部１０は、実施例１で説明した各種の番組表と同様な番組表を作成して表示部４に表示させることが可能である。また、実施例１の”録画番組”を”蓄積番組”に置き換えることにより、図１０および図１１で示したのと同様な処理を行なうことが可能である。
【００６５】
また、録画機能と番組蓄積サーバから番組を取得して再生する機能とを備えたテレビ放送受信機においては、”録画番組”とサーバに蓄積されている”蓄積番組”との両方を、”放送番組以外の蓄積番組”と定義し、実施例１における”録画番組”を、”放送番組以外の蓄積番組”と置き換えて、実施例１と同様な動作を行なえるようにしてもよい。
【図面の簡単な説明】
【００６６】
【図１】録画機能を備えたテレビ放送受信機の概略構成を示すブロック図である。
【図２】番組表の一部を示す模式図である。
【図３】番組表の変形例を示す模式図である。
【図４】番組表の他の変形例を示す模式図である。
【図５】番組表のさらに他の変形例を示す模式図である。
【図６】ある放送番組Ａが放映されているときに、リモコン上の特定のキー（表示番組切り替えキー）が押されると、その放送番組に類似する録画番組ａが再生されて表示されることを示す模式図である。
【図７】ある放送番組Ａが放映されているときに、リモコン上の特定のキー（類似録画番組表示キー）が押されると、その放送番組に類似する録画番組ａが再生されて小画面表示されることを示す模式図である。
【図８】ある放送番組Ａが放映されているときに、リモコン上の特定のキー（類似録画番組情報提示キー）が押されると、その放送番組に類似する録画番組ａの情報がテロップとして表示されることを示す模式図である。
【図９】現在時刻等に応じて再生開始位置を変化させることを説明するための模式図である。
【図１０】現在時刻等に応じて再生開始位置を制御する場合の処理手順を示すフローチャートである。
【図１１】放送番組に類似する録画番組に対してサブチャンネルが与えられている場合において、ユーザが視聴したいチャンネルを選択したときに実行される処理手順を示すフローチャートである。
【図１２】番組蓄積サーバから番組を取得して再生する機能を備えたテレビ放送受信機の概略構成を示すブロック図である。
【符号の説明】
【００６７】
１  放送波受信部
２  受信波デコード部
３  ＥＰＧ蓄積部
４  表示部
５  録画制御部
６  録画番組情報・録画番組蓄積部
７  表示情報加工部
１０  表示情報加工部
１１  蓄積番組情報取得部
１２  蓄積番組情報蓄積部
１３  蓄積番組再生部
【図１】
2008199372.tif 000003
【図２】
2008199372.tif 000004
【図３】
2008199372.tif 000005
【図４】
2008199372.tif 000006
【図５】
2008199372.tif 000007
【図６】
2008199372.tif 000008
【図７】
2008199372.tif 000009
【図８】
2008199372.tif 000010
【図９】
2008199372.tif 000011
【図１０】
2008199372.tif 000012
【図１１】
2008199372.tif 000013
【図１２】
2008199372.tif 000014